(57)【特許請求の範囲】
【請求項１】
一定大きさのフレキシブルな基板の一面の全面にプリント配線２を平行して設け、該各プリント配線２に間隔を置いて多数のＬＥＤ素子３またはＬＥＤ素子ユニット３ａを直列に配置して多数の照明ライン４を形成してなる照明シート６において、該各プリント配線２の各ＬＥＤ素子３または各ＬＥＤ素子ユニット３ａ間に２本づつにて副プリント配線５ａ，５ｂを設けて該プリント配線２との間で格子状に接続する回路を形成し、該照明シート６を各プリント配線２間または２本の副プリント配線５ａ，５ｂ間にて切断することを条件に該照明シート６を縦横方向の自由分割を可能とし、且つ分割した双方の照明シート６に非点灯個所が生じないようにしたことを特徴とする照明シート。
【発明の詳細な説明】
【技術分野】
【０００１】
本発明は照明シート、詳しくは設置個所の形状に合わせて縦横のほか斜めおよび中抜き形にて自由に切断分割して使用することのできる照明シートに関するものである。
【背景技術】
【０００２】
この種の照明シートとしては特開２００２−８２５０６号公報がある。該公報は所定の立体的な形状に保持されたフレキシブルプリント回路基板のプリント回路に直接装着された多数の発光ダイオード素子とを備えたＬＥＤ照明装置を記載している。
【特許文献１】特開２００２−８２５０６号公報
【発明の開示】
【発明が解決しようとする課題】
【０００３】
しかしながら、前記照明シートはフレキシブルプリント回路基板を予め目的の立体形状となるように形成して保持しているので、汎用性が全くないという課題がある。
【課題を解決するための手段】
【０００４】
本発明は、一定大きさのフレキシブルな基板の一面の全面にプリント配線２を平行して設け、該各プリント配線２に間隔を置いて多数のＬＥＤ素子３またはＬＥＤ素子ユニット３ａを直列に配置して多数の照明ライン４を形成してなる照明シート６において、該各プリント配線２の各ＬＥＤ素子３または各ＬＥＤ素子ユニット３ａ間に２本づつにて副プリント配線５ａ，５ｂを設けて該プリント配線２との間で格子状に接続する回路を形成し、該照明シート６を各プリント配線２間または２本の副プリント配線５ａ，５ｂ間にて切断することを条件に該照明シート６を縦横方向の自由分割を可能とし、且つ分割した双方の照明シート６に非点灯個所が生じないようにして、かかる課題を解決したのである。
【発明の効果】
【０００５】
本発明は、一定大きさのフレキシブルな基板の一面にプリント配線と多数の照明用のＬＥＤ素子またはＬＥＤ素子ユニットにて複数列にて照明ラインを平行して設けた照明シートを形成し、該複数列の照明ラインの各ＬＥＤ素子，ＬＥＤ素子ユニット間に２本づつまたは対向する全列のＬＥＤ素子，ＬＥＤ素子ユニット間を接続する１本づつの副プリント配線を設けることにより全ＬＥＤ素子間の回路を開いたまま照明ライン間，２本の副プリント配線間，斜めおよび中抜き形にて切断分割可能としたので、四角形等の一定大きさに形成した照明シートを照明ライン間，副プリント配線間にて縦横に，また斜め形切断や丸形，四角形等の中抜き形切断にて自由に切断分割し、任意の形状にして使用することができるという効果を生ずる。
【０００６】
ＬＥＤ素子を囲繞して保護する保護部材を設けたので、衝撃等によりＬＥＤ素子を損傷することがないという効果を生ずる。
【０００７】
基板の全面を覆う保護シートと該基板の側周間の密着または袋状の保護シートによる密封によりプリント配線とＬＥＤ素子を被覆するようにしたので、防水性と防爆性を得て照明シートの使用範囲を水中，爆発危険環境下などに拡大することができるという効果を生ずる。
【０００８】
防護シートの各ＬＥＤ対応位置にエンボス加工部を設けてレンズ作用を付与することにより、または保護シートをＬＥＤの光を周囲均等に分散させる拡散シートにすることにより、ＬＥＤ素子の発光を調整して目的に合った照明を得ることができるという効果を生ずる。
【０００９】
回路基板と保護シートをシリコンゴムシート等の高耐熱性素材にて形成することにより耐熱性を格段に強化して使用することのできる環境範囲を拡大することができるという効果を生ずる。
【発明を実施するための最良の形態】
【００１０】
本発明は、一定大きさのフレキシブルな基板の一面にプリント配線と多数の照明用のＬＥＤ素子にて複数列の照明ラインを平行して設けた照明シートを形成し、該複数列の照明ラインの各ＬＥＤ素子間に２本づつの副プリント配線を設けることにより全ＬＥＤ素子間の回路を開いたまま照明ライン間，２本の副プリント配線間の縦横のほか斜め形および中抜き形などにて切断分割可能にして帯状，小矩形状，六角形等およびそれらの中ぐりした任意の形状，大きさの照明シートを簡易に得られるようにしたのである。各ＬＥＤ素子は短筒形の保護筒にて囲繞するようにして衝撃等による損傷を防止し、保護シートで被覆することで防水性と防爆性を得、保護シートにエンボス加工部または拡散機能を付与することにより照明効果を目的に合わせて調整することができる。また基板，保護シートをシリコンゴムシート等の高耐熱性素材にて形成するときは、厳しい高温環境下においても使用することができるものとなる。
【実施例１】
【００１１】
柔軟で屈曲自在なＰＥＴ等のフレキシブルシート素材にてなる一定大きさの四角形の基板１の一面の全面に複数列の直線状のプリント配線２を平行して設け、該各プリント配線２中に多数の照明用のＬＥＤ素子３を間隔を置いて直列配置して照明ライン４を形成し、この複数列の照明ライン４の各ＬＥＤ素子３間に２本づつの副プリント配線５ａ，５ｂを設けて照明シート６を形成する。この照明シート６はいわゆる格子状接続の回路によってすべての照明用のＬＥＤ素子３が１つの電源により開かれて照明発光するものであるが、各ＬＥＤ素子間に２本づつの副プリント配線５ａ，５ｂを設けたことにより、図１に示すようにａ線方向にて各照明ライン４間を切断分割することができるほか、ｂ線にて示すように２本の副プリント配線５ａ，５ｂ間のどの位置にて切断分割しても格子状接続を維持することができるものとなる。よって図２に示すように帯状，小矩形状，鈎形状等の任意の形状，大きさに切断分割しても全ＬＥＤ素子３の回路を開いたままに維持することができるので１つの電源接続にてすべての照明用ＬＥＤ素子３を点灯させることができ、一定大きさの照明シート６を縦横に自由に切断分割して設置する個所の形状に合わせた照明シート６を簡易に得られるようにしたのである。このようにして得た照明シート６はビス止め，裏面に貼付した両面テープ（図示してない）などにて照明器具として固定取付けするのである。照明シート６はフレキシブルによって天井から壁にかけて直角に曲折したり、段差等に応じて隙間なく屈曲密着させて取付けることができる。なお図面ではＬＥＤ素子３を７個並べた照明ライン４を５列において形成した例を示しているが、ＬＥＤ素子３と照明ライン４の数はそれぞれ多少するものもある。
【実施例２】
【００１２】
図３（ａ）は左図の一定大きさに形成した四角形の照明シート６の四隅を斜め切りｃして六角形に形成した例を示し、図３（ｂ）はさらにその中央部分を円形に中抜き切断ｄした例を示すものである。このような斜め切り，中抜き形切断は前記の副プリント配線を２本づつにおいて設けたもののほか、図３に示すように平行する照明ライン４群の全列の対向する各ＬＥＤ素子３間を１本づつの副プリント配線５にて接続したものでも全ＬＥＤ素子３間の回路を開いたままで切断することができる。このようにして斜め切りｃと中抜き切断ｄを縦横の切断と組み合わせることにより切断形状はさらに自由なものとなり、設置個所の突部を除ける穴を中間に設けるなど、さらに様々な条件の設置個所に適応する照明シート６を得ることができる。
【実施例３】
【００１３】
図４はＬＥＤ素子を９個のＬＥＤ素子３の接続集合体にてなるＬＥＤ素子ユニット３ａとした例を示すもので、ＬＥＤ素子３をユニット化して多数個づつ配置したことによって高輝度を発する照明を得ることができる。ＬＥＤ素子ユニット３ａにおけるＬＥＤ素子３の構成数は、求める照明の明るさによって数個から数十個の単位に増減することがある。
【実施例４】
【００１４】
図５は照明用のＬＥＤ素子３を短筒形の保護材７にて囲繞して保護するようにし、その上をフレキシブルなＰＥＴ等の透明樹脂製の保護シート８にて被覆した例を示すものである。かくすることによって照明シート６の発光面に平面性をもたらすとともにＬＥＤ素子３，配線の衝撃等による損傷を防止し、埃，水滴などの付着を防ぐことができるものとなる。
【００１５】
また保護シート８の側周と基板１の側周間を溶着して内部を密閉し、あるいは図６に示すように袋状の保護シート８ａにて基板１を被覆して真空引きしてまたは空気を抜いて密着させることによって照明シート６を防水型・防爆型とすることができ、液層内，引火危険のある個所などの照明として安全裡に使用することができるものとなる。
【実施例５】
【００１６】
図７はＬＥＤ素子３の光の調整例を示すもので、（ａ）は保護シート８，８ａのＬＥＤ素子３またはＬＥＤ素子ユニット３ａの対応位置外面に凸形のエンボス加工部９を設けてレンズ作用を付与したものであり、（ｂ）は保護シート８ａ，８をＬＥＤ素子３またはＬＥＤ素子ユニット３ａの点状の光を拡散させて面状発光とする拡散シート１０にした例を示すものである。
【００１７】
また基板１および保護シート８，８ａをシリコンゴムシートなどの高耐熱性の素材にて形成することにより、高温環境となる設置個所に設置可能なフレキシブル照明シート６を得ることができる。
【産業上の利用可能性】
【００１８】
本発明の照明シートは、狭い，凹凸がある，異形であるなどの限定された設置個所、液層内，引火の危険のある個所の照明，さらに高温環境下における照明として広く使用することができるものである。
【図面の簡単な説明】
【００１９】
【図１】照明シートの１形成例を示す平面図
【図２】同、照明ライン間ａおよび副プリント配線ｂ間の縦横の切断により帯状，小矩形状，鉤形状に切断分割した使用例を示す平面図
【図３】（ａ）は四角形に形成した照明シートを隅取り斜め切断により六角形に形成した例、（ｂ）はその中央部に円形の中抜き切断をした例を示す平面図
【図４】ＬＥＤ素子を複数個集合してＬＥＤ素子ユニットとした例を示す平面図、丸囲み内はユニットの２例を示す拡大図
【図５】ＬＥＤ素子を短筒形の保護材の取付けで囲繞し、その上面を保護シートで被覆した例を示す部分拡大縦断面図
【図６】切断分割した照明シートを袋状の保護シートにて密封した例を示す平面図
【図７】（ａ）は保護シートにエンボス加工部を設けてレンズ作用により発光照明を調整する例、（ｂ）は保護シートを拡散シートにして光を調整する例を示す部分拡大縦断面図
【符号の説明】
【００２０】
１はフレキシブルな基板
２はプリント配線
３は照明用のＬＥＤ素子
３ａはＬＥＤ素子ユニット
４は照明ライン
５ａ，５ｂ，５は副プリント配線
６は照明シート
７は短筒形の保護材
８は保護シート
８ａは袋状の保護シート
９はエンボス加工部
１０は拡散シート
【図１】
0004548668.tif 000002
【図２】
0004548668.tif 000003
【図３】
0004548668.tif 000004
【図４】
0004548668.tif 000005
【図５】
0004548668.tif 000006
【図６】
0004548668.tif 000007
【図７】
0004548668.tif 000008